(57)【特許請求の範囲】
【請求項１】
複数の絞り羽根を相対移動させて絞り開口の大きさを調節する光量調節装置を有し、動画撮影と静止画撮影とが可能なカメラであって、
前記光量調節装置は、前記複数の絞り羽根を、該絞り羽根が有する連続可変絞り部が開放絞りを形成する第１相対位置と、前記連続可変絞り部が全閉絞りを形成する第２相対位置との間で駆動することにより、前記連続可変絞り部によって前記絞り開口の大きさを調節し、前記複数の絞り羽根を第３相対位置に駆動することにより、前記複数の絞り羽根の連続可変絞り部とは異なる固定絞り部によって前記絞り開口を小絞りとし、
該カメラは、動画撮影か静止画撮影かを判定し、動画撮影と判定したときは前記複数の絞り羽根を前記第１相対位置と前記第２相対位置との間で移動させて前記絞り開口の大きさを連続的に変化させるよう前記光量調節装置を制御し、静止画撮影と判定したときは前記複数の絞り羽根の相対位置を前記第１相対位置と前記第３相対位置とに切換えるよう前記光量調節装置を制御することを特徴とするカメラ。
【請求項２】
該カメラは、静止画撮影と判定した場合においてシャッター動作を行うときは、前記複数の絞り羽根が前記第１相対位置から前記第２相対位置に、又は前記第３相対位置から前記第２相対位置に切換えられるよう前記光量調節装置を制御することを特徴とする請求項１に記載のカメラ。
【発明の詳細な説明】
【０００１】
【発明の属する技術分野】
本発明は、ビデオカメラ、デジタルスチルカメラ等に用いられる光量調整装置に関するものである。
【０００２】
【従来の技術】
ビデオカメラ等の動画撮影カメラには、絞りを開放状態から全閉状態まで連続的に変化させる動画用光量調節装置が用られる。一方、デジタルスチルカメラ等の静止画撮影カメラには、開放状態と小絞り状態（例えば、Ｆ８）の２ポジション切り換えを行ったり、さらにはシャッター動作も可能な静止画用光量調節装置が用いられることがある。
【０００３】
【発明が解決しようとする課題】
しかしながら、光量調節に関して求められる機能が動画用と静止画用とで異なるため、動画撮影と静止画撮影の双方が可能なカメラにおいては、動画用と静止画用の別々の光量調節装置を設ける必要があった。
【０００４】
そこで、本発明は、動画用・静止画用の両方の用途に使用可能な光量調整装置を提供することを目的としている。
【０００５】
【課題を解決するための手段】
上記目的を達成するため、本発明では、複数の絞り羽根を相対移動させて絞り開口の大きさを調節する光量調節装置を有し、動画撮影と静止画撮影とが可能なカメラにおいて、前記光量調節装置は、前記複数の絞り羽根を、該絞り羽根が有する連続可変絞り部が開放絞りを形成する第１相対位置と、前記連続可変絞り部が全閉絞りを形成する第２相対位置との間で駆動することにより、前記連続可変絞り部によって前記絞り開口の大きさを調節し、前記複数の絞り羽根を第３相対位置に駆動することにより、前記複数の絞り羽根の連続可変絞り部とは異なる固定絞り部によって前記絞り開口を小絞りとする。そして、該カメラは、動画撮影か静止画撮影かを判定し、動画撮影と判定したときは前記複数の絞り羽根を前記第１相対位置と前記第２相対位置との間で移動させて前記絞り開口の大きさを連続的に変化させるよう前記光量調節装置を制御し、静止画撮影と判定したときは前記複数の絞り羽根の相対位置を前記第１相対位置と前記第３相対位置とに切換えるよう前記光量調節装置を制御する。
【０００６】
このように構成されたカメラによれば、動画撮影時には開放絞りと全閉状態との間で連続的に絞り開口が変化するよう光量調節装置を制御し、静止画撮影時には開放絞りと小絞りとに切換えられるよう光量調節装置を制御するので、１つの光量調節装置を設けるだけで動画撮影と静止画撮影とを行うことができる。
【０００７】
なお、静止画撮影時において、複数の絞り羽根を第１又は第３相対位置関係から第２相対位置関係に切換え駆動してシャッター動作を行わせるようにしてもよい。
【０００８】
【発明の実施の形態】
（第１実施形態）
図１には、本発明の第１実施形態である光量調節装置を示している。この図において、１は第１絞り羽根であり、２は第２絞り羽根である。これら絞り羽根１，２にはそれぞれ、揺動軸Ｏを中心に揺動する駆動アーム６の端部に形成された軸部６ａ，６ｂが嵌合する長孔１−ｃ，２−ｃが形成されている。また、両絞り羽根１，２にはそれぞれ、図示しない地板に形成されたガイドピン４，５が嵌合するガイド溝１−ｄ，２−ｄが形成されている。このため、駆動アーム６が図示しないモータ等にのアクチュエータよって揺動軸Ｏを中心に揺動駆動されると、両絞り羽根１，２はガイドピン４，５によりガイドされながら図中上下方向に移動する。
【０００９】
また、両絞り羽根１，２にはそれぞれ、開放と全閉との間の連続的な絞り開口の調節を可能とする連続可変絞り部１−ｂ，２−ｂと、小絞り（例えば、Ｆ８）を形成するための固定絞り部１−ａ，２−ａとが形成されている。なお、３は上記地板に形成された固定の開放開口である。
【００１０】
次に、このように構成された光量調節装置の動作について説明する。まず、図１（Ａ）に示すように、駆動アーム６が角度Ａの位置に揺動すると、両絞り羽根１，２は、連続可変絞り部１−ｂ，２−ｂによって開放絞りが形成される位置関係（請求の範囲にいう第１相対位置関係）になる。
【００１１】
また、図１（Ｂ）に示すように、駆動アーム６が角度Ｂの位置に揺動すると、両絞り羽根１，２は、連続可変絞り部１−ｂ，２−ｂによって全開絞りが形成される位置関係（請求の範囲にいう第２相対位置関係）になる。
【００１２】
また、図１（Ｃ）に示すように、駆動アーム６が角度Ｃの位置に揺動すると、両絞り羽根１，２は、固定絞り部１−ａ，２−ａが重なって小絞りが形成される位置関係（請求の範囲にいう第３相対位置関係）になる。
【００１３】
ここで、駆動アーム６を角度Ａと角度Ｂとの間で連続的に駆動すると、両絞り羽根１，２の連続可変絞り部１−ｂ，２−ｂによって絞り開口の大きさを連続的に変化させることができる。
【００１４】
また、駆動アーム６を角度Ａと角度Ｃとの２位置切換え的に駆動すると、両絞り羽根１，２の連続可変絞り部１−ｂ，２−ｂにより形成される全開絞りと固定絞り部１−ａ，２−ａにより形成される小絞りとの段階的切換えを行うことができる。
【００１５】
このため、この光量調節装置を動画撮影と静止画撮影の双方が可能なカメラに取り付けた場合、動画撮影モードにおいて駆動アーム６を角度Ａと角度Ｂとの間で連続的に駆動させる制御（動画用絞りモード）を行い、静止画撮影モードにおいて駆動アーム６を角度Ａと角度Ｃの２位置で切換え駆動させる制御（静止画絞りモード）を行えば、撮影モードに応じた適切な撮像素子等への入射光量の調節を行うことができる。
【００１６】
さらに、駆動アーム６を角度Ａ又は角度Ｃから角度Ｂに駆動するよう２位置切換え制御（静止画用シャッターモード）を行えば、全開絞り又は小絞り状態から全閉状態に一気に切り換わる動作、すなわちシャッター動作を行わせることができ、静止画撮影時のシャッターとして使用できる。
【００１７】
次に、本実施形態の光量調節装置を備えた動画・静止画撮影両用のカメラの動作について図２のフローチャートを用いて説明する。このフローチャートは、全画素読み出し方式のＣＣＤを使用したカメラの動作を説明するものである。つまり、動画用絞りモードと静止画用絞りモード（２位置切換え）の動作を説明するものである。
【００１８】
まず、▲１▼で、これからの撮影が動画撮影なのか静止画撮影なのかの情報を取り込む。次に、▲２▼で動画・静止画の判定をする。ここで、動画用絞りモードの場合は、▲３▼でＣＣＤの輝度情報に基づき、絞りに連続的な光量調節を行わせながら、▲４▼で動画撮影を行う。
【００１９】
一方、静止画用絞りモードの場合は、▲５▼でシャッターボタン半押しを検知すると、▲６▼でＣＣＤの輝度情報に基づき、ＣＣＤ蓄積時間と絞り値を決定し、絞りの自動調節を行う。さらに、▲７▼でシャッタボタンの全押しを検知すると、▲８▼で所定ＣＣＤ蓄積時間の径過後に、ＣＣＤ画素情報を読み出し、▲９▼で静止画撮影を終了する。
【００２０】
次に、図３のフローチャートを用いて、順次読み出し方式のＣＣＤを使用したカメラの動作を説明する。つまり、動画用絞りモードと静止画用シャッター絞りモード（シャッター動作）について説明する。
【００２１】
まず、▲１▼で、これからの撮影が動画撮影なのか静止画撮影なのかの情報を取り込む。次に、▲２▼で動画・静止画の判定をする。ここで、動画用絞りモードの場合は、▲３▼でＣＣＤの輝度情報に基づき、絞りに連続的な光量調節を行わせながら、▲４▼で動画撮影を行う。
【００２２】
一方、静止画用シャッター絞りモードの場合は、▲５▼でシャッターボタン半押しを検知すると、▲６▼でＣＣＤの輝度情報に基づき、ＣＣＤ蓄積時間と絞り値を決定し、絞りの自動調節を行う。さらに、▲７▼でシャッタボタンの全押しを検知すると、▲８▼で所定ＣＣＤ蓄積時間の径過後に、絞りをクローズするとともに、ＣＣＤ画素情報を読み出し、▲９▼で静止画撮影を終了する。
【００２３】
【発明の効果】
以上説明したように、本発明によれば、１つの光量調節装置で動画撮影に適した光量調節動作と静止画撮影に適した光量調節動作の双方が可能なカメラを実現できる。特に、本発明のカメラに設けられた光量調節装置では、絞り羽根の形状を工夫することで、動画撮影用絞り機能と静止画撮影用絞り機能とを併せ持つ構成としているので、構成要素（部品点数）の増加がなく経済的である。したがって、動画撮影・静止画撮影を行うカメラをコンパクトかつ安価に構成することができるとともに、簡単な制御を行うだけで動画撮影・静止画撮影に適した光量調節を行うことができる。
【図面の簡単な説明】
【図１】本発明の第１実施形態である光量調節装置の動作説明図である。
【図２】上記光量調節装置を備えたカメラ（ＣＣＤが全画素読み出し方式の場合）の動作フローチャートである。
【図３】上記光量調節装置を備えたカメラ（ＣＣＤが順次読み出し方式の場合）の動作フローチャートである。
【符号の説明】
１，２  絞り羽根
１−ａ，２−ａ  固定絞り部
１−ｂ，２−ｂ  連続可変絞り部
６  駆動アーム
【図１】
0003847931.tif 000002
【図２】
0003847931.tif 000003
【図３】
0003847931.tif 000004